(57)【要約】      （修正有）【課題】直接にボトル口部に取付け、水出し茶を入れたい時、スムーズに且つ簡単に茶葉をボトル内の冷水に投入可能とした茶葉投入器を提供する。【解決手段】底部に開口を有し、開口の内周面に結合部（雌ねじ部）１１が設けられると共に、内部に円柱状の隔壁１２が設けられ、円柱状の隔壁１２の内部に収容室１３が形成され、更に上部に連結ヘッド１６が設けられ、この連結ヘッド１６に通路１５が形成される茶葉投入容器本体１０と、下方へ向って開口するヘッド部２１が設けられ、該ヘッド部１６には下方へ伸びて通路１５に挿入される柱体２２が設けられており、該柱体２２の長さ寸法は前記隔壁１２の高さ寸法より長い蓋部材２０と、隔壁１２の底端面に貼り付けられる密閉シート４０と、収容室１３に充填される茶葉３０とからなる。【選択図】図２
0003114092.tif 000002
【実用新案登録請求の範囲】
【請求項１】
底部には開口を有し、該開口の内壁面に結合部１１が設けられると共に、内部に底部へ伸びる円柱状の隔壁１２が設けられ、該円柱状の隔壁１２の内部に収容室１３が形成されており、上部には連結ヘッド１６が設けられ、該連結ヘッド１６に前記収容室１３と連通する貫通路１５が形成された茶葉投入器本体１０と、
前記連結ヘッド１６と結合部によって組合わされる下方へ向って開口するヘッド部２１を有し、前記ヘッド部２１の内部底面には、下方へ伸び前記通路１５に挿入される前記柱体２２が設けられており、該柱体２２の長さ寸法が前記隔壁１２の高さ寸法より長い蓋部材２０と、
前記隔壁１２の端面に貼り付けられ、前記連結ヘッド１６と蓋部材２０との結合部の結合度合いによって、前記柱体２２によって開放操作される密閉シート４０と、
前記収容室１３に充填される茶葉３０とからなることを特徴とする茶葉投入器。
【請求項２】
前記茶葉投入容器本体１０の内部底面における、収容室１３の内部に下方へ延出する中空の管体１４が設けられ、該管体１４の長さ寸法は前記隔壁１２の高さ寸法より短く、更に前記貫通路１５は管体１４の中空部に位置し、前記柱体２２の底端部に尖形端２２２が設けられることを特徴とする請求項１に記載の茶葉投入器。
【請求項３】
前記蓋部材２０におけるヘッド部２１の内壁面に結合部として雌ねじ部２３が設けられると共に、前記連結ヘッド１６の外周面に該雌ねじ部２３と螺合する結合部として雄ねじ部１６２が設けられ、前記茶葉投入容器本体１０における底部内壁面に結合部として雌ねじ部が設けられることを特徴とする請求項１又は２に記載の茶葉投入器。
【考案の詳細な説明】
【技術分野】
【０００１】
本考案は、茶葉投入器を直接ボトルの口部に取付けることにより、水出し茶を入れたい時にスムーズに且つ簡単に茶葉をボトル内の冷水に投入することができる茶葉投入器に関するものである。
【背景技術】
【０００２】
一般に水出し茶とは、茶葉を冷水中に入れてそのまま数時間おいた渋味の無いお茶のことである。この方法によれば、冷水中の茶葉から旨み成分であるアミノ酸を溶出できる一方で、苦味成分であるタンニン酸やカフェインは溶出され難いので、飲み易く、甘みを有する美味しいお茶を入れることができ、更にテオフィリンの溶出量も少ないので、血圧や尿酸値を降下させる効果があると共に、上述したように、カフェインが溶出され難いので、胃への影響や、動悸、カルシウムの吸収を低下させるなど、種々の効用がある。
【０００３】
更に、茶葉には可溶性成分であるカテキンが多く含まれていて、前記水出し法を用いると、該茶葉中のカテキンＥＣ，ＥＧＣ，ＥＧＣｇなどがより有効的に溶出される。また、カテキンなどのポリフェノール化合物には、消臭や抗酸化、がんの抑制、血圧の低下、血中脂肪の低下、コレステロールの低下作用などを有すると言われている。
【考案の開示】
【考案が解決しようとする課題】
【０００４】
しかしながら、従来の水出し法は、一般に購入したミネラルウォーターなどのボトルに水を充填した後、ティーバックや茶葉などをボトル内に投入してお茶を作るものであることから、常に茶葉を携帯し、お茶を飲む時には、お茶を入れる作業を行う必要があるので、非常に不便である。
【課題を解決するための手段】
【０００５】
本考案の請求項１は、底部には開口を有し、該開口の内壁面に結合部１１が設けられると共に、内部に底部へ伸びる円柱状の隔壁１２が設けられ、該円柱状の隔壁１２の内部に収容室１３が形成されており、上部には連結ヘッド１６が設けられ、該連結ヘッド１６に前記収容室１３と連通する貫通路１５が形成された茶葉投入器本体１０と、前記連結ヘッド１６と結合部によって組合わされる下方へ向って開口するヘッド部２１を有し、前記ヘッド部２１の内部底面には、下方へ伸び前記通路１５に挿入される前記柱体２２が設けられており、該柱体２２の長さ寸法が前記隔壁１２の高さ寸法より長い蓋部材２０と、前記隔壁１２の端面に貼り付けられ、前記連結ヘッド１６と蓋部材２０との結合部の結合度合いによって、前記柱体２２によって開放操作される密閉シート４０と、前記収容室１３に充填される茶葉３０とからなることを特徴とする。
請求項２の考案は、請求項１に記載の茶葉投入器において、前記茶葉投入容器本体１０の内部底面における、収容室１３の内部に下方へ延出する中空の管体１４が設けられ、該管体１４の長さ寸法は前記隔壁１２の高さ寸法より短く、更に前記貫通路１５は管体１４の中空部に位置し、前記柱体２２の底端部に尖形端２２２が設けられることを特徴とする。
請求項３の考案は、請求項１または２に記載の茶葉投入器において、前記蓋部材２０におけるヘッド部２１の内壁面に結合部として雌ねじ部２３が設けられると共に、前記連結ヘッド１６の外周面に該雌ねじ部２３と螺合する結合部として雄ねじ部１６２が設けられ、前記茶葉投入容器本体１０における底部内壁面に結合部として雌ねじ部が設けられることを特徴とする。
【考案の効果】
【０００６】
本考案は上記の課題を解決するものであり、底部に開口を有し、該開口の内壁面に結合部が設けられると共に、内部に底部へ伸びる円柱状の隔壁が設けられ、該円柱状の隔壁の内部に収容室が形成され、更に上部に連結ヘッドが設けられ、該連結ヘッドに収容室と連通する貫通路が形成される茶葉投入容器本体と、下方へ向って開口すると共に、前記連結ヘッドと組合わされるヘッド部が設けられ、内部底面に、下方へ伸び前記通路に挿入される柱体が設けられ、該柱体の長さ寸法が前記隔壁の高さ寸法より長い蓋部材と、前記隔壁の端面に貼り付けられる密閉シートと、前記収容室に充填される茶葉と、を含み、また、前記茶葉投入容器本体の内部底面における、収容室の内部に下方へ延出する中空の管体が設けられ、該管体の長さは前記隔壁の高さより短く、更に前記通路は管体の中空部に位置し、また、前記柱体の端部に尖形端が設けられ、また、前記蓋部材におけるヘッド部の内壁面に結合部としての雌ねじ部が設けられると共に、前記連結ヘッドの外周面に該結合部と螺合する雄ねじ部が設けられ、また、前記茶葉投入容器本体における結合部の底部内壁面に雌ねじ部が設けられるので、以下に示すような効果を有する。
【０００７】
（１）本考案の茶葉投入器は、予め好みの茶葉を茶葉投入容器本体内の収容室に入れておくものであることから、従来のように茶葉を携帯したり、飲む時点で購入しなくてもよいので、非常に利便性が高い。更に茶葉は密閉保持されるので、変質などにより味が落ちることもない。
（２）本考案の茶葉投入容器本体は、直接にミネラルウォーターやジュースのボトル口に螺合され、蓋部材により密閉シートを押し開けることにより、茶葉をボトル内に投入する構成となっているので、誰にでも簡単に水出し茶を入れることができる。
【考案を実施するための最良の形態】
【０００８】
以下、添付図面を参照して本考案の好適な実施の形態を詳細に説明する。
【実施例】
【０００９】
図１は本考案に係る茶葉投入器の一実施例を示す側面断面図であり、図２は図１の本考案に係る茶葉投入器の分解斜視図であり、図３は本考案に係る茶葉投入器をボトルに取付けた状態を示す側面断面図であり、図４は本考案に係る茶葉投入器をボトルに取付けた状態において、蓋部材により密閉シートを押し開けて、茶葉をボトル内に投入する状態を示す側面断面図である。
【００１０】
図１乃至図３に示すように、本考案の茶葉投入器は、プラスチック製、ガラス製、或いは金属製からなるボトル５０のボトル口部５１に螺合などの手段で装着される茶葉投入容器本体１０、該茶葉投入容器本体１０に取付けられる蓋部材２０、茶葉投入容器本体１０に充填される茶葉３０、及び該茶葉３０を封入するための密閉シート４０などの構成部材からなる。
【００１１】
前記茶葉投入容器本体１０は、開口側が円形状を呈し、その開口の内周壁面に雌ねじ部などよりなる結合部１１が設けられ、該結合部１１と前記ボトル５０のボトル口５１の外周面に形成した雄ねじ部５１ａなどよりなる結合部とを互いに螺合させることで、前記茶葉投入容器本体１０をボトル５０のボトル口部５１に強固に結合することができる。
【００１２】
更に、前記茶葉投入容器本体１０の内部には、底部へ伸びる円柱状の隔壁１２が設けられ、該円柱状の隔壁１２の内部に茶葉３０を収容するための収容室１３が形成される。該茶葉投入容器本体１０の内部底面における、収容室１３の内部には下方へ延出する長さが前記隔壁１２の高さ寸法より短い寸法の中空の管体１４が設けられ、該管体１４の中空部には蓋部材２０を挿入するための通路１５が形成され、更に前記茶葉投入容器本体１０の上部に通路１５と連通する中空状の連結ヘッド１６が設けられている。前記連結ヘッド１６の外周面には蓋部材２０と螺合する雄ねじ部などの結合部１６２が設けられる。
【００１３】
前記蓋部材２０には、下方へ向って開口し、前記連結ヘッド１６と組み合わされるヘッド部２１が設けられており、該ヘッド部２１の底部には、下方へ延出し、前記茶葉投入容器本体１０の貫通路１５に挿入される柱体２２が設けられると共に、該柱体２２下部の自由端には尖形端２２２が設けられている。前記柱体２２の長さは前記隔壁１２の高さ寸法より長く設計されている。また、前記蓋部材２０におけるヘッド部２１の内壁面には、前記茶葉投入容器本体１０の連結ヘッド１６における雄ねじ部などの結合部１６２と螺合する雌ねじ部などの結合部２３が設けられている。そして、前記蓋部材２０を連結ヘッド１６に完全に螺合装着した場合には、前記柱体２２の尖形端２２２が前記隔壁１２の底部から下方に突出する構成となっている。
【００１４】
前記茶葉３０は、茶葉投入容器本体１０の収容室１３内に充填され、前記密閉シート４０は、前記隔壁１２の底端面に貼り付けられる。これにより、前記茶葉３０が収容室１３内に充填された時、該収容室１３を密閉状態にすることができる。
また、前記密閉シート４０は、プラスチックシート、金属シート、又は通気性を有する紙製シートなどで形成したものでもよい。
【００１５】
以上のように構成された本考案の茶葉投入器によれば、図１に示すように、まず、蓋部材２０を茶葉投入容器本体１０の連結ヘッド１６に浅く嵌め込んでおいてから、好みの茶葉などを適量、茶葉投入容器本体１０の収容室１３に入れ、該収容質１３の底面を密閉シート４０により封をして密閉状態とするので、香りや風味を保つことができ、且つ全体の体積も小さいので、携帯に便利である。
【００１６】
また、本考案の茶葉投入器の使用において、水出し茶を入れたい時は、図３及び図４に示すように、先に蓋部材２０を浅く嵌め込んで茶葉を内部にセットしてある茶葉投入容器本体１０を、内部にミネラルウォーターや水道水などが入ったプラスチック製、ガラス製、或いは金属性などのボトル５０のボトル口部５１に螺合させて、茶葉投入容器本体１０とボトル５０を結合しておき、茶葉投入容器本体１０の蓋部材２０を更に深くはめ込んで、前記連結ヘッド１６と蓋部材２０との結合部の結合度合いを深くすることで、前記柱体２２の位置が下がることにより前記密閉シート４０を押し開け、茶葉投入容器本体１０の収容室１３内に充填された茶葉３０をボトル５０の水中内に落下させるだけでよいので、作業が非常に簡単である。
【００１７】
尚、上述した実施形態は単に本考案の一部の形態であり、本明細書に示す主張の範囲内であれば如何なる形態に構成させてもよく、また、容易に想到し得る範囲内であれば、当然本考案の主張範囲に属することは言うまでもない。
【図面の簡単な説明】
【００１８】
【図１】本考案に係る茶葉投入器の一実施例を示す側面断面図である。
【図２】本考案に係る茶葉投入器の分解斜視図である。
【図３】本考案に係る茶葉投入器をボトルに取付けた状態を示す側面断面図である。
【図４】本考案に係る茶葉投入器をボトルに取付けた状態において、蓋部材により密閉シートを押し開けて、茶葉をボトル内に投入する状態を示す側面断面図である。
【符号の説明】
【００１９】
１０        茶葉投入容器本体
１１        結合部（雌ねじ部）
１２        隔壁
１３        収容室
１４        管体
１５        通路
１６        連結ヘッド
１６２      結合部（雄ねじ部）
２０        蓋部材
２１        ヘッド部
２２        柱体
２２２      尖形端
２３        結合部（雌ねじ部）
３０        茶葉
４０        密閉シート
５０        ボトル
５１        ボトル口部
【図１】
0003114092.tif 000003
【図２】
0003114092.tif 000004
【図３】
0003114092.tif 000005
【図４】
0003114092.tif 000006